(57)【要約】【課題】アスファルトタンクの使用切り換え時に異種類のアスファルトの混じり合いを少なくしてアスファルト混合物の品質に悪影響を及ぼすことがないようにする。【解決手段】アスファルトタンクＡ、Ｂ、Ｃからアスファルトを供給する供給管３を設置し、該供給管３に配置したポンプ４は正逆回転自在とする。アスファルトタンクの取り出し管７ａ、７ｂ、７ｃをポンプ４の上流側に方向切換弁９ｂ、９ｃを介在させながら接続する共に、アスファルト循環用の戻り管６にはタンクの取り入れ管８ａ、８ｂ、８ｃを接続する。そして、アスファルトタンクの使用切り換え時には、ポンプ４を逆回転させてポンプ４からプラント本体２のアスファルト計量槽１２に至る供給管３内のアスファルトを        アスファルトタンクに回収した後、別のアスファルトタンクよりアスファルトを供給する。【選択図】  図３
2004225251.tif 000002
【特許請求の範囲】
【請求項１】
アスファルトを貯蔵する複数基のアスファルトタンクと、該アスファルトタンク内のアスファルトをプラント本体のアスファルト計量槽に供給する供給管と、該供給管に配置したアスファルト供給用のポンプと、ポンプ下流の供給管に方向切換弁を介在させて接続した戻り管とを備えたアスファルトプラントのアスファルト設備において、前記ポンプを正逆回転自在とし、前記方向切換弁をアスファルトタンク供給側とプラント本体側とが通じるように切り換えた後、ポンプを逆回転してプラント本体のアスファルト計量槽に至る供給管に残留するアスファルトをアスファルトタンクに回収可能としたことを特徴とするアスファルトプラントにおけるアスファルト設備。
【発明の詳細な説明】
【０００１】
【発明の属する技術分野】
本発明は、道路舗装材であるアスファルト混合物を製造するアスファルトプラントのプラント本体に溶融アスファルトを供給するアスファルト供給設備に関する。
【０００２】
【従来の技術】
アスファルトプラントには複数基のアスファルトタンクと供給手段より成るアスファルト供給設備が設置され、アスファルト混合物製造時に所望のアスファルトタンクよりアスファルトを取り出してプラント本体に供給し、プラント本体のアスファルト計量槽にて所定量計量後、下位のミキサに投入して他の素材と混合して所望のアスファルト混合物を製造している。最近では特殊なアスファルト混合物も製造されるようになり、使用されるアスファルトの種類も増加し、アスファルトタンクには異種類のアスファルトが貯蔵されることもある。
【０００３】
従来のアスファルト供給設備では、複数のアスファルトタンク内のアスファルトをプラント本体のアスファルト計量槽に供給する供給管と、供給管に設置したポンプの下流側に方向切換弁を介在させてアスファルトをタンクに循環させるための戻り管とを備えている。そして、アスファルト供給時にはポンプを駆動してアスファルトをプラント本体のアスファルト計量槽に供給し、計量完了となると前記方向切換弁を切り換えてアスファルトを戻り管に流してタンクに循環させている。そして、アスファルトタンクを切り換えて異種のアスファルトを使用するときには、プラント本体のアスファルト計量槽に至る供給管には前回使用時のアスファルトが残留するが、この残留するアスファルトを今回使用のアスファルトと一緒にプラント本体のアスファルト計量槽へ供給して使用している。
【０００４】
【発明が解決しようとする課題】
しかしながら、上記従来のアスファルト供給設備では、アスファルトタンクの使用切り換え時に、プラント本体のアスファルト計量槽に至る供給管中に残留する前回使用時の異種のアスファルトを使用することとなり、アスファルト混合物の品質に悪影響を及ぼす可能性があった。
【０００５】
本発明は上記の点に鑑み、アスファルトタンクの使用切り換え時に異種類のアスファルトの混じり合いを少なくしてアスファルト混合物の品質に悪影響を及ぼすことがないようにしたアスファルトプラントのアスファルト供給設備を提供することを課題とする。
【０００６】
【課題を解決するための手段】
上記の課題を解決するために、本発明のアスファルトプラントのアスファルト供給設備にあっては、アスファルトを貯蔵する複数基のアスファルトタンクと、該アスファルトタンク内のアスファルトをプラント本体のアスファルト計量槽に供給する供給管と、該供給管に配置したアスファルト供給用のポンプと、ポンプ下流の供給管に方向切換弁を介在させて接続した戻り管とを備えたアスファルトプラントのアスファルト設備において、前記ポンプを正逆回転自在とし、前記方向切換弁をアスファルトタンク供給側とプラント本体側とが通じるように切り換えた後、ポンプを逆回転してプラント本体のアスファルト計量槽に至る供給管に残留するアスファルトをアスファルトタンクに回収可能としたことを特徴としている。
【０００７】
【発明の実施の形態】
本発明に係わるアスファルトプラントのアスファルト供給設備によれば、アスファルト供給用のポンプを正逆回転自在としておく。そして、アスファルトタンクを切り換えて異種類のアスファルトを使用する時には、ポンプを逆回転させ、プラント本体のアスファルト計量槽に至る供給管内に残留するアスファルトを元のアスファルトタンクに回収する。このアスファルトの回収後、他のアスファルトタンクから異種類のアスファルトを供給開始する。これによって、アスファルト使用切換時にプラント本体のアスファルト計量槽に至る供給管内に残留するアスファルトを使用することもなく、異種類のアスファルトの混じり合いを少なくできてアスファルト混合物の品質への悪影響を極力阻止できる。
【０００８】
【実施例】
以下、本発明の実施例を図面に基づいて説明する。
【０００９】
アスファルト供給設備１には、複数のアスファルトタンクＡ、Ｂ、Ｃ内のアスファルトをプラント本体２に供給する供給管３と、該供給管３に設置したポンプ４の下流側に方向切換弁５を介在させてアスファルトを循環させるための戻り管６とを備えている。前記ポンプ４は正逆回転自在とし、アスファルトをプラント側に供給したり、タンク側に戻したりできるようにしている。
【００１０】
また、アスファルトタンクＡの取り出し管７ａを供給管３に、取り入れ管８ａを戻り管６に接続すると共に、他のアスファルトタンクＢ、Ｃの取り出し管７ｂ、７ｃを方向切換弁９ｂ、９ｃを介在させてポンプ４の上流側の供給管３に接続する一方、取り入れ管８ｂ、８ｃを方向切換弁１０ｂ、１０ｃを介在させて戻り管６に接続している。また、供給管３の先端はアスファルト混合物の素材の貯蔵、計量、混合機能を有したプラント本体２まで延長され、計量弁１１を介してプラント本体２に装備したアスファルト計量槽１２に接続されている。
【００１１】
そして、アスファルトタンクＡからアスファルトを供給するときには、方向切換弁５、９ｂ、９ｃ、１０ｂ、１０ｃの流れ方向を図１に示すように切り換えてからポンプ４を正回転駆動し、アスファルトタンクＡのアスファルトを実線矢印に示すようにプラント本体２へと供給し、計量弁１１を開放してアスファルト計量槽１２にて所定量計量する。アスファルトの計量が完了すれば、計量弁１１を閉じると共に、方向切換弁５を図２に示すように、戻り管６側に通じるように切り換え、アスファルトを実線矢印に示すように戻り管６を経由させてアスファルトタンクＡに戻し、循環させながら次回の計量を待つ。そして次の計量開始となれば、方向切換弁５を再度、プラント本体２側に通じるように切り換えてアスファルトをアスファルト計量槽１２に供給している。
【００１２】
次に、アスファルトタンクＢの使用に切り換えて種類の異なるアスファルト混合物を製造するときには、先ず、プラント本体２のアスファルト計量１２に至る供給管３中に残留するアスファルトを回収するために、方向切換弁５を図３に示すように切り換えた後、ポンプ４を逆回転させながら計量弁１１を開放し、メイン供給管３内に残留するアスファルトをアスファルトタンクＡへと回収する。この回収操作によって、ポンプ４からアスファルト計量槽１２に至る供給管３内にはアスファルトの残留がなくなる。なお、ポンプ４からアスファルトタンクＡに至る配管内にはアスファルトが残留する。
【００１３】
前記アスファルト回収完了後、アスファルトタンクＢのアスファルトを供給するために、方向切換弁９ｂ、１０ｂを図４に示すように切り換えてからポンプ４を正回転させ、アスファルトタンクＢからアスファルトを取り出して供給管３を経由してアスファルト計量槽１２に供給する。このとき、ポンプ４と方向切換弁９ｂとの間の供給管３内に残留する異種のアスファルトを押し出してアスファルト計量槽３０に供給することとなるが、ポンプ４からプラント本体２のアスファルト計量槽１２までの配管長さと比べると短くて押し出し量もそれほど多くなく製造するアスファルト混合物に与える影響も少ない。なお、方向切換弁９ｂ、９ｃをポンプ４に接近して配置しておけば、押し出すアスファルト量も少なくて好ましいものとなる。
【００１４】
このように、本発明では、アスファルトタンクの使用切り換え時に、ポンプ４を逆回転させてポンプ４からプラント本体２のアスファルト計量槽１２に至る供給管３内に残留するアスファルトを回収するので、異種のアスファルトの使用を極力減らすことができ、製造するアスファルト混合物の品質に悪影響を及ぼすことを極力避けることができる。
【００１５】
【発明の効果】
以上のように本発明に係るアスファルトプラントにおけるアスファルト供給設備によれば、アスファルトを貯蔵する複数基のアスファルトタンクと、該アスファルトタンク内のアスファルトをプラント本体のアスファルト計量槽に供給する供給管と、該供給管に配置したアスファルト供給用のポンプと、ポンプ下流の供給管に方向切換弁を介在させて接続した戻り管とを備えたアスファルトプラントのアスファルト設備において、前記ポンプを正逆回転自在とし、前記方向切換弁をアスファルトタンク供給側とプラント本体側とが通じるように切り換えた後、ポンプを逆回転してプラント本体のアスファルト計量槽に至る供給管に残留するアスファルトをアスファルトタンクに回収可能としたので、アスファルトタンクの使用切り換え時にポンプからプラント本体のアスファルト計量槽に至る供給管内に残留するアスファルトを回収でき、異種類のアスファルトの混ざり合いを少なくでき、アスファルト混合物の品質に悪影響を及ぼすことを極力回避できる。
【図面の簡単な説明】
【図１】本発明に係るアスファルトプラントにおけるアスファルト供給設備の一実施例を示す平面図である。
【図２】図１のアスファルトを循環している状態を説明する図である。
【図３】図１のポンプを逆回転させてアスファルトを回収している状態を説明する図である。
【図４】図１の別のアスファルトタンクよりアスファルトを供給している状態を説明する図である。
【符号の説明】
１…アスファルト供給設備              ２…プラント本体
３…供給管                            ４…アスファルト供給用ポンプ
５…方向切換弁                        ６…メイン戻り管
７ａ、７ｂ、７ｃ…取り出し管          ８ａ、８ｂ、８ｃ…取り入れ管
９ｂ、９ｃ、１０ｂ、１０ｃ…方向切換弁
１１…計量弁                          １２…アスファルト計量槽
Ａ、Ｂ、Ｃ…アスファルトタンク
【図１】
2004225251.tif 000003
【図２】
2004225251.tif 000004
【図３】
2004225251.tif 000005
【図４】
2004225251.tif 000006